(57)【特許請求の範囲】
【請求項１】
球を所定方向に誘導する複数の球誘導手段が本体枠の裏側で前後に設けられたパチンコ機において、複数の誘導手段が互いに蝶番により連結されたことを特徴とするパチンコ機。
【請求項２】
球誘導手段は球の通過を許容又は阻止することで球の排出を制御する作動部材とを備えた球払出機構であることを特徴とする請求項１に記載のパチンコ機。  
【発明の詳細な説明】
【０００１】
【発明の属する技術分野】
本発明はパチンコ機であって、特に、パチンコ機の裏面側の構造に関する。
【０００２】
【従来の技術】
特公平７−４４４７号公報で開示されたパチンコ機では、前枠の裏側に複数の球誘導樋及び球払出ユニットからなる球誘導手段を前後方向に配置している。
【０００３】
【発明が解決しようとする課題】
しかし、前記従来のパチンコ機は、前側球誘導手段が前枠に固定され、後側球誘導手段が前側球誘導手段に固定された構造であるため、双方の球誘導手段の保守点検が不便だった。
【０００４】
本発明は上記の問題点を鑑み、その目的とするところは前側及び後側の球誘導手段の保守点検を容易に行うことができるパチンコ機を提供するものである。
【０００５】
【課題を解決するための手段】
本発明にあっては、球を所定方向に誘導する複数の球誘導手段が本体枠の裏側で前後に設けられたパチンコ機において、複数の誘導手段が互いに蝶番により連結されたことを特徴としている。よって、誘導樋それぞれの保守点検が行いやすくなる。
又、本発明にあっては、誘導樋は該誘導樋内における球の通過を許容又は阻止することで球の排出を制御する作動部材とを備えた球払出機構であることを特徴としている。よって作動部材の故障などに伴う修理や交換といった保守点検の作業が行いやすくなる。  
【０００６】
【発明の実施の形態】
以下、本発明の一実施形態について図１〜図８を用いて説明する。図１は平面的な概略を示す。図１において、前枠Ｂは枠体Ｂ２の裏面にリアプレートＣを固定した形態である。前枠Ｂの裏面に設けられる複数の球払出ユニットＧ；Ｈは、同一形態であるが、前枠Ｂに蝶番である枠ユニット間ヒンジＬで連結されたものを前側球払出ユニットＧと称し、前側球払出ユニットＧに蝶番であるユニット間ヒンジＭで連結されたものを後側球払出ユニットＨと言う。前側球払出ユニットＧがリアカバーＩより一側に張出された延設部Ｉ１に設けられたユニット固定部Ｉ２の前面に前側ユニットねじ３０で固定され、後側球払出ユニットＨがユニット固定部Ｉ２の裏面に後側ユニットねじ３１で固定される。前側球払出ユニットＧと後側球払出ユニットＨ及びリアカバーＩそれぞれが固定された構造体は裏カバーユニットＫと称する。
【０００７】
前側ユニットねじ３０は前側球払出ユニットＧの前側よりユニット固定部Ｉ２に締結される。後側ユニットねじ３１は後側球払出ユニットＨの後側よりユニット固定部Ｉ２に締結される。その状態では、前側球払出ユニットＧと後側球払出ユニットＨ及びリアカバーＩとが枠ユニット間ヒンジＬを介して矢印Ｘ１で示すように裏側に開閉可能となる。又、前側ユニットねじ３０がユニット固定部Ｉ２より取外されることにより、リアカバーＩと後側球払出ユニットＨとがユニット間ヒンジＭを介して矢印Ｘ２で示すように裏側に開閉可能となる。又、後側ユニットねじ３１がユニット固定部Ｉ２より取外されることにより、後側球払出ユニットＨがユニット間ヒンジＭを介して裏側に開閉可能となる。ユニット間ヒンジＭ、前側ユニットねじ３０及び後側ユニットねじ３１は前側球払出ユニットＧと後側球払出ユニットＨとの連結部材である。
【０００８】
枠ユニット間ヒンジＬは、前枠Ｂに取付けられた固定側ヒンジＬ１、前側球払出ユニットＧに取付けられた可動側ヒンジＬ２、固定側ヒンジＬ１と可動側ヒンジＬ２とを回転可能に連結するヒンジ軸Ｌ３を備える。ヒンジ軸Ｌ３は固定側ヒンジＬ１と可動側ヒンジＬ２との双方に抜差し可能であっても良いが、固定側ヒンジＬ１と可動側ヒンジＬ２との一方に固定されていて他方に抜差し可能であれば、裏カバーユニットＫが前枠Ｂより取外される場合、ヒンジ軸Ｌ３が前記一方に付いたまま前記他方より引抜かれるので、小さなヒンジ軸Ｌ３の紛失が防止できる。
【０００９】
ユニット間ヒンジＭは、前側球払出ユニットＧに取付けられた固定側ヒンジＭ１、後側球払出ユニットＨに取付けられた可動側ヒンジＭ２、固定側ヒンジＭ１と可動側ヒンジＭ２とを回転可能に連結するヒンジ軸Ｍ３を備える。固定側ヒンジＭ１と可動側ヒンジＭ２及びヒンジ軸Ｍ３との連結構造は、前記固定側ヒンジＬ１と可動側ヒンジＬ２及びヒンジ軸Ｌ３との連結構造を適用できる。
【００１０】
図２はパチンコ機裏側機構を分解して示す。図２において、外枠Ａと前枠Ｂとが本体枠を構成する。外枠Ａはパチンコ店の島に固定される。前枠Ｂは本体枠側ヒンジＡ１と前枠側ヒンジＢ１との連結により外枠Ａに片開き可能に支持される。リアプレートＣは、前枠Ｂの裏面に設置される以下に説明する各種部材を取付ける上で基準となる枠部材であるため、金属で形成され、合成樹脂や木材よりも剛性に優れているので、厚さを薄くして、軽量化が図れる。
【００１１】
リアプレートＣの裏面にはタンク装置Ｄと前側球誘導樋Ｅ及び後側球誘導樋Ｆが設けられている。タンク装置Ｄは図外のパチンコ店の島に設けられた球補給装置から供給される球を貯留する。前側球誘導樋Ｅ及び後側球誘導樋Ｆは、タンク装置Ｄの下方に設けられ、タンク装置Ｄの導出口Ｄ１；Ｄ２から導出される球を上方に開口した流入口Ｅ１；Ｆ１で受取って下方へ導くものであって、球が流入口Ｅ１；Ｆ１より誘導出口Ｅ２、Ｆ２に向けて片流れするような傾斜状の内部通路を備える。それらの内部通路は、流下される球を誘導出口Ｅ２；Ｆ２に到達する過程において流下方向に向かって一列に整列させることができるよう、徐々に幅狭に形成されている。払出ユニットＧ；Ｈと球誘導樋Ｅ；Ｆとが球誘導手段を構成する。タンク装置Ｄが上タンクと呼ばれ、球誘導樋Ｅ；Ｆが下タンクと呼ばれることがある。リアプレートＣには上下のリアプレートヒンジＣ１が取付けられている。
【００１２】
前側球払出ユニットＧ及び後側球払出ユニットＨは、互いに前後に重ね合わされ、前側球誘導樋Ｅ及び後側球誘導樋Ｆの下流側に連なるように、前枠ヒンジＢ１側で前枠Ｂの裏面に配置される。前側球払出ユニットＧ及び後側球払出ユニットＨの上部一側には誘導出口Ｅ２；Ｆ２に連なる連絡口Ｇ１；Ｈ１が開口されている。連絡口Ｇ１；Ｈ１から流入した球は、球通路Ｇ２；Ｈ２又は球抜き通路Ｇ３；Ｈ３を通過し、球払出出口Ｇ４；Ｈ４又は球抜き出口Ｇ５；Ｈ５を経て、球樋ユニットＪに導かれる。
【００１３】
リアカバーＩは、図外の遊技盤の裏面を覆うカバー体であって、遊技盤の裏面に配置される各種制御回路ボックスへの落下球衝突やピアノ線による不正行為等を防止するという、上記各種制御回路ボックスに対する保護機能を備える。球樋ユニットＪは球樋入口Ｊ１；Ｊ２及び球抜き入口Ｊ３；Ｊ４を備える。球樋入口Ｊ１；Ｊ２から流入した球は、球樋ユニットＪ内部の通路を経由し、パチンコ機の前面に設けられる図外の上皿装置に導かれる。球抜き入口Ｊ３；Ｊ４から流入した球は、球樋ユニットＪ内部の上記とは異なる通路を経由し、球樋ユニットＪの下方に設けられた球抜き排出口Ｊ５から図外の島設備へ排出される。
【００１４】
図３は前側球払出ユニットＧ、後側球払出ユニットＨ及びリアカバーＩを分解して示す。図３において、リアカバーＩはパチンコ機の裏側から見て右側に、縦長な延設部Ｉ１を有する。延設部Ｉ１には複数の筒状のユニット固定部Ｉ２が裏側に垂直に突出している。前側球払出ユニットＧ及び後側球払出ユニットＨにはリアカバー取付孔部Ｇ７；Ｈ７がユニット固定部Ｉ２と同数形成されている。そして、前側ユニットねじ３０が前側よりリアカバー取付孔部Ｇ７を経由してユニット固定部Ｉ２の内部孔である取付孔Ｉ３に締結されることにより、前側球払出ユニットＧとリアカバーＩとが結合される。後側ユニットねじ３１が裏側よりリアカバー取付孔部Ｈ７を経由して取付孔Ｉ３に締結されることにより、後側球払出ユニットＨとリアカバーＩとが結合される。
【００１５】
次に、前側球払出ユニットＧ及び後側球払出ユニットＨとの同一形態について説明する。前側球払出ユニットＧ及び後側球払出ユニットＨは、ユニットベースＧ２０；Ｈ２０、球払出駆動ユニットＧ８；Ｈ８、球通路ユニットＧ１０；Ｈ１０、賞球払出スプロケットＧ１１；Ｈ１１、球抜き装置Ｇ１２；Ｈ１２、作業孔Ｇ１３；Ｈ１３等の同一形状に形成された共通要素より構成されている。尚、図３では、前側球払出ユニットＧの裏側を示し、後側球払出ユニットＨの前側を示した。よって、前側球払出ユニットＧでは球払出駆動ユニットＧ８が描かれていないが、球払出駆動ユニットＧ８の構造に関しては球払出駆動ユニットＨ８の符号「Ｈ」を「Ｇ」と読替えることにより理解できるであろう。又、後側球払出ユニットＨでは賞球払出スプロケットＨ１１、球抜き装置Ｈ１２、作業孔Ｈ１３が描かれていないが、賞球払出スプロケットＧ１１、球抜き装置Ｇ１２、作業孔Ｇ１３の符号「Ｇ」を「Ｈ」と読替えることにより理解できるであろう。
【００１６】
ユニットベースＨ２０は底板部Ｈ２１と外周壁Ｈ２４とからなる前方開放箱型の収納室を有する。収納室の底板部Ｈ２１の上部一側には複数の筒状のヒンジ取付孔部Ｈ２２と位置決め部Ｈ２３とが前側に向って垂直に突出している。位置決め部Ｈ２３はヒンジ取付孔部Ｈ２２の間に存在し、ヒンジ取付孔部Ｈ２２よりも前側に突出している。ヒンジ取付孔部Ｈ２２には図１の可動側ヒンジＭ２に相当する後側上ヒンジＨ３０が止ねじ３２により取付けられる。ヒンジ取付孔部Ｈ２２と同じ側でヒンジ取付孔部Ｈ２２よりも上方において、収納室の底板部Ｈ２１には複数の筒状のヒンジ取付孔部Ｈ６１が前側に向って垂直に突出している。
【００１７】
前記収納室には球払出駆動ユニットＨ８が収納されている。球払出駆動ユニットＨ８は底板部Ｈ２１に取付けられた電磁ソレノイドＨ５０を備える。電磁ソレノイドＨ５０は、単動型であって、磁気エネルギーでプランジャＨ５１を突出又は吸引の一方に動作させ、図外のばねによる力でプランジャＨ５１を突出又は吸引の他方に動作させる。そして、プランジャＨ５１に連結されたリンク部材Ｈ５２が駆動することにより賞球払出スプロケットＧ１１に相当する図外の賞球払出スプロケットの回転を阻止したり許容する。
【００１８】
球払出駆動ユニットＨ８周りの底板部Ｈ２１には複数のユニットカバー取付孔部Ｈ２７が前側に筒状に突出している。そして、ユニットカバーＨ６がユニットカバー取付孔部Ｈ２７及び球払出駆動ユニットＨ８を覆うように収納部に前側より配置された状態において、図外の止ねじがユニットカバーＨ６に形成された図外の貫通孔よりユニットカバー取付孔部Ｈ２７に締結される。
【００１９】
ユニットカバーＨ６の前面一側には、複数の筒状のヒンジ取付孔部Ｈ４１と位置決め部Ｈ４２とが前側に向って垂直に突出している。ヒンジ取付孔部Ｈ４１及び位置決め部Ｈ４２は、ヒンジ取付孔部Ｈ２２及び位置決め部Ｈ２３と同一断面形状であるが、底板部Ｈ２１からのユニットカバーＨ６の高さだけ、ヒンジ取付孔部Ｈ２２及び位置決め部Ｈ２３よりも低い。そして、図１の可動側ヒンジＭ２に相当する後側下ヒンジＨ４０が位置決め部Ｈ４２に前側から挿入されて位置決めされた状態において、止ねじ３２が後側下ヒンジＨ４０よりヒンジ取付孔部Ｈ４１に締結されることにより、後側上ヒンジＨ３０がユニットベースＨ２０に固定される。ヒンジ取付孔部Ｈ４１と同じ側でヒンジ取付孔部Ｈ４１よりも下部において、ユニットカバーＨ６と外周壁Ｈ２４との間に位置する底板部Ｈ２１には複数の筒状のヒンジ取付孔部Ｈ６２が前側に向って垂直に突出している。
【００２０】
後側上ヒンジＨ３０と後側下ヒンジＨ４０とは形状が類似する。本実施例では、後側下ヒンジＨ４０に固定された図１のヒンジ軸Ｍ３に相当するヒンジ軸Ｈ３４が後側上ヒンジＨ３０に固定された図１のヒンジ軸Ｍ３に相当するヒンジ軸Ｈ３３よりも長く形成されている点で異なる以外は、後側上ヒンジＨ３０と後側下ヒンジＨ４０は同じである。
【００２１】
前側上ヒンジＧ３０と前側下ヒンジＧ４０とは、同一形状であって、前側球払出ユニットＧに取付けられる図１の固定側ヒンジＭ１に相当する。前側下ヒンジＧ４０の取付構造は後側下ヒンジＨ４０と同一である。
【００２２】
前側球払出ユニットＧに取付けられる図１の固定側ヒンジＬ１に相当する前側上ユニットヒンジＧ６Ａについて説明する。前側上ユニットヒンジＧ６Ａは後側上ヒンジＨ３０に形状が類似する。本実施例では、前側上ユニットヒンジＧ６Ａが後側上ヒンジＨ３０よりも全体的に大きい点と位置決め孔が形成されていない点で異なる以外は、前側上ユニットヒンジＧ６Ａは後側上ヒンジＨ３０と同じである。止ねじ３４が前側上ユニットヒンジＧ６Ａの取付孔Ｇ６０よりユニットベースＧ２０のヒンジ取付孔部Ｇ６１に締結されることにより、前側上ユニットヒンジＧ６Ａが前側球払出ユニットＧに取り付けられ、ヒンジ軸Ｇ６３が図７にも示すように前側球払出ユニットＧよりも前側に配置される。
【００２３】
球通路ユニットＧ１０は、光透過性を有する合成樹脂により形成されており、ユニットベースＧ２０の裏側に止ねじで取付けられることにより、ユニットベースＧ２０との協働により球通路Ｇ２を形成する。球抜き装置Ｇ１２は人為操作により球通路ユニットＧ１０内の球を球抜き通路Ｇ３側と賞球払出スプロケットＧ１１側とに切り換える振分け通路Ｇ１４を有する。賞球払出スプロケットＧ１１は、図２の球払出出口Ｇ４側に配置され、リンク部材Ｈ５２に相当する図外のリンク部材による回転の阻止及び許容により球払出出口Ｇ４への球の排出を制御する。作業孔Ｇ１３は球通路ユニットＨ１０の球通路Ｇ２内に溜まる塵を人為的に除去するためのものである。
【００２４】
図４は後側上ヒンジＨ３０の取付構造を分解して示す。図４において、後側上ヒンジＨ３０は屈曲状の金属基体に取付孔部Ｈ３１と位置決め孔部Ｈ３２及びヒンジ軸Ｈ３３を設けた形態である。複数のヒンジ取付孔部Ｈ２２と位置決め部Ｈ２３とは連結壁Ｈ２５で結合され、連結壁Ｈ２５にはリブＨ２６が位置決め部Ｈ２３と同軸状に形成されている。そして、後側上ヒンジＨ３０の一部が外周壁Ｈ２４の端面に形成された凹部に取込まれ、位置決め孔部Ｈ３２が位置決め部Ｈ２３に前側から挿入されることにより、取付孔部Ｈ３１がヒンジ取付孔部Ｈ２２に位置決めされる。その状態において、止ねじ３２が取付孔部Ｈ３１よりヒンジ取付孔部Ｈ２２に締結されることにより、後側上ヒンジＨ３０がユニットベースＨ２０に固定され、ヒンジ軸Ｈ３３が図７にも示すように後側球払出ユニットＨより外側で前側に配置される。
【００２５】
図５は前側球払出ユニットＧに取付けられる図１の固定側ヒンジＭ１に相当する前側上ヒンジＧ３０の取付構造を分解して示す。図５において、前側上ヒンジＧ３０は屈曲状の金属基体に取付孔部Ｇ３１と位置決め孔部Ｇ３２及びヒンジ受孔Ｇ３３を設けた形態である。そして、前側上ヒンジＧ３０の一部が周壁Ｇ２４の端面に形成された凹部に取込まれ、位置決め孔部Ｇ３２が位置決め部Ｇ２３に前側から挿入されることにより、取付孔部Ｇ３１がヒンジ取付孔部Ｇ２２に位置決めされる。その状態において、止ねじ３２が取付孔部Ｇ３１よりヒンジ取付孔部Ｇ２２に締結されることにより、前側上ヒンジＧ３０がユニットベースＧ２０に固定され、ヒンジ受孔Ｇ３３が図７にも示すように前側球払出ユニットＧより外側に配置される。このヒンジ受孔Ｇ３３の外側配置は、ヒンジ軸Ｈ３３がヒンジ受孔Ｇ３３に嵌め込まれ、後側球払出ユニットＨが前側に閉じられた場合、図７にも示すように前側球払出ユニットＧと後側球払出ユニットＨとを前後に接触するように重ね合させるためのものである。
【００２６】
図６は前枠Ｂと裏カバーユニットＫとの取付構造を分解して示す。図６において、前側球払出ユニットＧには前側上ユニットヒンジＧ６Ａと前側下ユニットヒンジＧ６Ｂとが固定されている。前側上ユニットヒンジＧ６Ａと前側下ユニットヒンジＧ６Ｂとは形状が類似する。本実施例では、前側下ユニットヒンジＧ６Ｂに固定された図１のヒンジ軸Ｌ３に相当するヒンジ軸Ｇ６４（図６参照）が前側上ユニットヒンジＧ６Ａに固定された図１のヒンジ軸Ｌ３に相当するヒンジ軸Ｇ６３よりも長く形成されている点で異なる以外は、前側上ユニットヒンジＧ６Ａと前側下ユニットヒンジＧ６Ｂとは同じである。前側下ユニットヒンジＧ６Ｂは図３のヒンジ取付孔部Ｈ６２に相当する図外のヒンジ取付孔部に止ねじにより結合される。
【００２７】
以上要するに、前側上ヒンジＧ３０と後側上ヒンジＨ３０との嵌め合い、前側下ヒンジＧ４０と後側下ヒンジＨ４０との嵌め合いことにより、同一形態の前側球払出ユニットＧ及び後側球払出ユニットＨが片開き可能に連結される。よって、前側球払出ユニットＧと後側球払出ユニットＨとが前後に設けられる複数の球払出ユニットとして共通使用でき、複数の球払出ユニットそれぞれを異なる形態に形成する場合に比べ、製造コストが安価となる。
【００２８】
又、上下のリアプレートヒンジＣ１と前側上ユニットヒンジＧ６Ａ及び前側下ユニットヒンジＧ６Ｂとの嵌め合いにより、前側球払出ユニットＧが前枠Ｂに裏側で片開き可能に取付けられる。そして、後側球払出ユニットＨが前側球払出ユニットＧに片開き可能に取付けられる。よって、前側球払出ユニットＧと後側球払出ユニットＨとが前枠Ｂの裏側に個別に開閉可能に設けられるので、前側球払出ユニットＧを裏側に開けて、前側球払出ユニットＧのユニットベースＧ２０と前枠Ｂとの間に配置される賞球ソレノイドＨ５０に相当する図外の賞球ソレノイドを交換することがでる。
【００２９】
又、後側球払出ユニットＨを裏側に開けることにより、前側球払出ユニットＧのユニットベースＧ２０と後側球払出ユニットＨとの間に配置される球通路ユニットＧ１０内で発生する球詰まりを解消させたり、通路ユニットＧ１０内部に生じた塵を作業孔Ｇ１３より図外のピンセット等で取り除いたり、後側球払出ユニットＨのユニットベースＨ２０と前側球払出ユニットＧとの間に配置される賞球ソレノイドＨ５０を交換することができる。つまり、前側球払出ユニットＧや後側球払出ユニットＨを裏側に個別に開くことにより、前側球払出ユニットＧや後側球払出ユニットＨのメンテナンス作業を容易に行うことができる。
【００３０】
又、前枠Ｂに対する前側球払出ユニットＧの回転中心と前側球払出ユニットＧに対する後側球払出ユニットＨの回転中心とが同一側に設けられているので、前側球払出ユニットＧとリアカバーＩとを前側ユニットねじ３０で前側より結合し、後側球払出ユニットＨとリアカバーＩとを後側ユニットねじ３１で裏側より結合することにより、遊技盤の裏面に配置される各種制御回路ボックスを保護するリアカバーＩが前側球払出ユニットＧと後側球払出ユニットＨとに結合されて裏カバーユニットＫを形成することができる。
【００３１】
図６において、前側上ユニットヒンジＧ６Ａ及び前側下ユニットヒンジＧ６Ｂが上下のリアプレートヒンジＣ１に上方より嵌め込まれ、裏カバーユニットＫが閉じられることにより、リアカバーＩの自由端側に設けられたリアカバー受部Ｉ５がリアプレートＣに設けられたリアプレート係合部Ｃ３に係合し、リアカバーＩの閉じ状態が保持される。
【００３２】
下側のヒンジ軸Ｈ３４；Ｇ６４が上側のヒンジ軸Ｈ３３；Ｇ６３より長く形成されているので、前側球払出ユニットＧの前枠２への取付作業、又は、後側球払出ユニットＨの前側球払出ユニットＧへの取付作業が容易である。それは、図８のａ図に示すように、前側上ユニットヒンジＧ６Ａや後側上ヒンジＨ３０に相当する上部可動側ヒンジＰ１におけるヒンジ軸Ｐ２の長さをｃとし、前側下ユニットヒンジＧ６Ｂや後側下ヒンジＨ４０に相当する下部可動側ヒンジＰ３におけるヒンジ軸Ｐ４の長さをｂとし、ヒンジ軸Ｐ２とヒンジ軸Ｐ４との間隔をａとし、上側のリアプレートヒンジＣ１や前側上ヒンジＧ３０に相当する上部固定側ヒンジＱ１のヒンジ受孔Ｑ２と下側のリアプレートヒンジＣ１や前側下ヒンジＧ４０に相当する下部固定側ヒンジＱ３のヒンジ受孔Ｑ４との間隔をＡとし、ｂ＞ｃ、Ａ＝ａであるとする。ヒンジ軸Ｐ２は前記ヒンジ軸Ｇ６３；Ｈ３３に相当し、ヒンジ軸Ｐ４は前記Ｇ６４；Ｈ３４に相当し、ヒンジ受孔Ｑ２は前記上側のヒンジ受孔Ｃ２；Ｇ３３に相当し、ヒンジ受孔Ｑ４は前記下側のヒンジ受孔Ｃ２；Ｇ４３に相当する。
【００３３】
そして、図８のｂ図に示すように、下部のヒンジ軸Ｐ４の先端部が下部のヒンジ受孔Ｑ４に上方より挿入された後、前記前側球払出ユニットＧや後側球払出ユニットＨを下げることにより、ヒンジ受孔Ｑ４へのヒンジ軸Ｐ４の進入が進行する。その進行に伴い、図８のｃ図に示すように、上部のヒンジ軸Ｐ２が上部のヒンジ受孔Ｑ２に挿入される。よって、下部のヒンジ受孔Ｑ４への下部のヒンジ軸Ｐ４先端部の挿入を先導役とし、上部のヒンジ軸Ｐ２を上部のヒンジ受け孔Ｑ２に挿入することができるからである。上部のヒンジ軸Ｐ２の長さｃと下部のヒンジ軸Ｐ４の長さｂとは、ｃ＞ｂでも同様に適用できる。
【００３４】
尚、図示は省略するが、前側球誘導樋Ｅと後側球誘導樋Ｆとをヒンジを用いて連結しても良い。
【図面の簡単な説明】
【図１】  本発明の実施形態を示す摸式図。
【図２】  同実施形態のパチンコ機裏側機構を示す分解斜視図。
【図３】  同実施形態の裏カバユニットを示す分解斜視図。
【図４】  同実施形態の後側上ヒンジの取付構造を示す分解斜視図。
【図５】  同実施形態の前側上ヒンジの取付構造示す分解斜視図。
【図６】  同実施形態の前枠と裏カバーユニットとの取付構造示す分解斜視図。
【図７】  同実施形態の作用を説明するための摸式図。
【図８】  同実施形態のヒンジ結合を説明するための摸式図。
【符号の説明】
Ａ  外枠
Ｂ  前枠
Ｃ  リアプレート
Ｇ  前側球払出ユニット
Ｈ  後側球払出ユニット
Ｉ  リアカバー
Ｋ  裏カバーユニット
Ｌ  枠ユニット間ヒンジ
Ｍ  ユニット間ヒンジ
【図１】
0004335386.tif 000002
【図２】
0004335386.tif 000003
【図３】
0004335386.tif 000004
【図４】
0004335386.tif 000005
【図５】
0004335386.tif 000006
【図６】
0004335386.tif 000007
【図７】
0004335386.tif 000008
【図８】
0004335386.tif 000009